(57)【要約】【課題】戸開方向を容易に把握できるエレベータの操作盤及びカゴを提供する。【解決手段】一実施形態に係るエレベータのカゴは、第１のドアと、第２のドアと、第１の操作盤と、第２の操作盤と、を備える。第１のドアは、一方側に設けられる。第２のドアは、他方側に設けられる。第１の操作盤は、一方側に設けられ、各階床の行先階登録釦を備える。第２の操作盤は、他方側に設けられ、各階床の行先階登録釦を備える。第１の操作盤の行先階登録釦のうち、戸開方向が一方側の階床の行先階登録釦は、一方側に設定された第１色の周縁部を備え、戸開方向が他方側の階床の行先階登録釦は、他方側に設定された第２色の周縁部を備える。第２の操作盤の行先階登録釦のうち、戸開方向が他方側の階床の行先階登録釦は、第２色の周縁部を備え、戸開方向が一方側の階床の行先階登録釦は、第１色の前記周縁部を備える。【選択図】図３
2016216253.tif 000002
【特許請求の範囲】
【請求項１】
一方側に設けられた第１のドアと、他方側に設けられた第２のドアと、前記一方側に設けられ、各階床の行先階登録釦を備える第１の操作盤と、前記他方側に設けられ、各階床の行先階登録釦を備える第２の操作盤と、を備え、前記第１の操作盤の前記行先階登録釦のうち、戸開方向が前記一方側の前記階床の前記行先階登録釦は、前記一方側に設定された第１色の周縁部を備え、前記戸開方向が前記他方側の前記階床の前記行先階登録釦は、前記他方側に設定された第２色の前記周縁部を備え、前記第２の操作盤の前記行先階登録釦のうち、戸開方向が前記他方側の前記階床の前記行先階登録釦は、前記第２色の周縁部を備え、前記戸開方向が前記一方側の前記階床の前記行先階登録釦は、前記第１色の前記周縁部を備えるエレベータのカゴ。
【請求項２】
前記一方側に設けられ、前記第１のドアが開くか否か案内する第１の戸開案内板と、前記他方側に設けられ、前記第２のドアが開くか否か案内する第２の戸開案内板と、を更に備え、前記第１の戸開案内板は、前記第１色の周縁部を備え、前記第２の戸開案内板は、前記第２色の周縁部を備える請求項１に記載のカゴ。
【請求項３】
前記第１の操作盤の前記行先階登録釦のうち、前記戸開方向が前記一方側の前記階床の前記行先階登録釦は、対応する前記階床が行先階として登録されると前記第１色に点灯し、前記戸開方向が前記他方側の前記階床の前記行先階登録釦は、対応する前記階床が前記行先階として登録されると前記第２色に点灯し、前記第２の操作盤の前記行先階登録釦のうち、前記戸開方向が前記他方側の前記階床の前記行先階登録釦は、対応する前記階床が前記行先階として登録されると前記第２色に点灯し、前記戸開方向が前記一方側の前記階床の前記行先階登録釦は、対応する前記階床が前記行先階として登録されると前記第１色に点灯する請求項１又は請求項２に記載のカゴ。
【請求項４】
前記一方側に設けられ、前記第１色に点灯することにより前記第１のドアが開くことを案内する第１の戸開案内灯と、前記他方側に設けられ、前記第２色に点灯することにより前記第２のドアが開くことを案内する第２の戸開案内灯と、を更に備える請求項１乃至請求項３のいずれか１項に記載のカゴ。
【請求項５】
前記一方側に設けられ、前記カゴの運行状況を前記第１色で表示する第１の運行表示装置と、前記他方側に設けられ、前記カゴの前記運行状況を前記第２色で表示する第２の運行表示装置と、を更に備える請求項１乃至請求項４のいずれか１項に記載のカゴ。
【請求項６】
前記戸開方向を案内する音声を出力するスピーカを更に備える請求項１乃至請求項５のいずれか１項に記載のカゴ。
【請求項７】
一方側及び他方側の２方向に戸開するエレベータのカゴに設けられ、各階床の行先階登録釦を備える操作盤であって、前記戸開方向が前記一方側の前記階床の前記行先階登録釦は、前記一方側に設定された第１色の周縁部を備え、前記戸開方向が前記他方側の前記階床の前記行先階登録釦は、前記他方側に設定された第２色の前記周縁部を備える操作盤。
【発明の詳細な説明】
【技術分野】
【０００１】
本発明の実施形態は、エレベータの操作盤及びカゴに関する。
【背景技術】
【０００２】
従来、カゴの２方向にドアが設置された２方向ドアエレベータが利用されている。２方向ドアエレベータのカゴとして、正面側及び背面側のそれぞれに操作盤を備えたものや、釦の数を減らすために、１つの操作盤に正面側と背面側の行先階登録を切替える切替釦を備えたものが知られている。
【０００３】
しかしながら、従来の２方向ドアエレベータでは、戸開方向のわかりやすさについては考慮されていなかった。このため、利用者は、戸開方向を容易に把握することができなかった。
【先行技術文献】
【特許文献】
【０００４】
【特許文献１】特開平４−３１３５８０号公報
【発明の概要】
【発明が解決しようとする課題】
【０００５】
戸開方向を容易に把握できるエレベータの操作盤及びカゴを提供する。
【課題を解決するための手段】
【０００６】
一実施形態に係るエレベータのカゴは、第１のドアと、第２のドアと、第１の操作盤と、第２の操作盤と、を備える。第１のドアは、一方側に設けられる。第２のドアは、他方側に設けられる。第１の操作盤は、一方側に設けられ、各階床の行先階登録釦を備える。第２の操作盤は、他方側に設けられ、各階床の行先階登録釦を備える。第１の操作盤の行先階登録釦のうち、戸開方向が一方側の階床の行先階登録釦は、一方側に設定された第１色の周縁部を備え、戸開方向が他方側の階床の行先階登録釦は、他方側に設定された第２色の周縁部を備える。第２の操作盤の行先階登録釦のうち、戸開方向が他方側の階床の行先階登録釦は、第２色の周縁部を備え、戸開方向が一方側の階床の行先階登録釦は、第１色の前記周縁部を備える。
【図面の簡単な説明】
【０００７】
【図１】第１実施形態に係るカゴの一例を示す図。
【図２】カゴの戸開方向の一例を示す図。
【図３】正面側及び背面側の操作盤の一例を示す図。
【図４】第２実施形態に係るカゴの一例を示す図。
【図５】正面側及び背面側の戸開案内板の一例を示す図。
【図６】第３実施形態における点灯中の正面側及び背面側の操作盤の一例を示す図。
【図７】第３実施形態における点灯中の正面側及び背面側の操作盤の一例を示す図。
【図８】第４実施形態に係るカゴの一例を示す図。
【図９】第５実施形態に係るカゴの一例を示す図。
【図１０】第５実施形態に係る運行表示装置の一例を示す図。
【発明を実施するための形態】
【０００８】
以下、本発明の実施形態について図面を参照して説明する。
【０００９】
（第１実施形態）
第１実施形態に係るエレベータのカゴについて、図１〜図３を参照して説明する。本実施形態に係るカゴは、２方向にドアが設置されたエレベータ（２方向ドアエレベータ）のカゴである。
【００１０】
図１は、本実施形態に係るカゴの一例を示す図である。図１では、カゴ内から見たカゴの３つの側面が示されており、手前側が側面は図示省略されている。図１に示すように、本実施形態に係るカゴは、ドア１０，２０と、幕板１１，２１と、戸袋１２，２２と、操作盤１３，２３と、を備える。
【００１１】
ドア１０（第１のドア）は、カゴの一方側（図１における左側）の側面に設けられたドアである。以下では、ドア１０が設けられた側面を正面という。
【００１２】
幕板１１は、カゴの正面のうち、ドア１０の上部を構成する部分である。
【００１３】
戸袋１２は、カゴの正面のうち、ドア１０及び幕板１１の左右両側を構成する部分である。戸袋１２は、戸開時にドア１０を収納する。
【００１４】
操作盤１３（第１の操作盤）は、カゴの一方側の側面に設けられ、戸開釦、戸閉釦、及び各階床の行先階登録釦などを備える。図１の例では、操作盤１３は、左側の戸袋１２上に設けられているが、右側の戸袋１２上に設けられてもよいし、左右両側の戸袋１２上にそれぞれ設けられてもよい。操作盤１３について、詳しくは後述する。
【００１５】
ドア２０（第２のドア）は、カゴの他方側（図１における右側）の側面に設けられたドアである。以下では、ドア２０が設けられた側面を背面という。
【００１６】
幕板２１は、カゴの背面のうち、ドア２０の上部を構成する部分である。
【００１７】
戸袋２２は、カゴの背面のうち、ドア２０及び幕板２１の左右両側を構成する部分である。戸袋２２は、戸開時にドア２０を収納する。
【００１８】
操作盤２３（第２の操作盤）は、カゴの他方側の側面に設けられ、戸開釦、戸閉釦、及び各階床の行先階登録釦などを備える。図１の例では、操作盤２３は、左側の戸袋２２上に設けられているが、右側の戸袋２２上に設けられてもよいし、左右両側の戸袋２２上にそれぞれ設けられてもよい。操作盤２３について、詳しくは後述する。
【００１９】
なお、図１の例では、ドア１０，２０は、カゴの対向する側面（正面及び背面）にそれぞれ設けられている。しかしながら、ドア１０，２０は、カゴの直行する側面にそれぞれ設けられてもよい。
【００２０】
ここで、操作盤１３，２３について、図２及び図３を参照して具体的に説明する。図２は、カゴの戸開方向の一例を示す図である。ここでいう戸開方向とは、各階床においてドアが開く方向のことである。ある階床でドア１０のみが開く場合、その階床の戸開方向は正面側である、という。また、ある階床でドア２０のみが開く場合、その階床の戸開方向は背面側である、という。さらに、ある階床でドア１０，２０が両方開く場合、その階床の戸開方向は両側である、という。
【００２１】
以下では、図２に示すように、カゴは１階（１Ｆ）〜３階（３Ｆ）を昇降し、１階のエレベータホールはカゴの正面側、２階のエレベータホールはカゴの両側、３階のエレベータホールはカゴの背面側に設けられているものとする。このとき、１階では正面側のドア１０のみが開き、２階では両側のドア１０，２０が開き、３階では背面側のドア２０のみが開く。すなわち、１階の戸開方向は正面側、２階の戸開方向は両側、３階の戸開方向は背面側である。
【００２２】
図３は、操作盤１３，２３の一例を示す図である。図３に示すように、操作盤１３は、戸開釦１３１と、戸閉釦１３２と、各階床（１階〜３階）の行先階登録釦１３３と、を備える。
【００２３】
戸開釦１３１は、ドア１０を戸開させる戸開信号を出力する。利用者は、ドア１０が戸開する階床（１階又は２階）にカゴが停止している間、戸開釦１３１を押すことにより、ドア１０を開けることができる。
【００２４】
戸閉釦１３２は、ドア１０を戸閉させる戸閉信号を出力する。利用者は、ドア１０が戸開する階床（１階又は２階）にカゴが停止している間、戸閉釦１３２を押すことにより、ドア１０を閉めることができる。
【００２５】
行先階登録釦１３３は、対応する階床を行先階として登録する行先階登録信号を出力する。利用者は、行先階登録釦１３３を押すことにより、対応する階床を行先階として登録することができる。行先階登録釦１３３は、周縁部１３４を備える。
【００２６】
周縁部１３４は、行先階登録釦１３３が対応する階床の戸開方向に応じた所定の色を有する。周縁部１３４は、行先階登録釦１３３の周縁部を着色することにより形成されてもよいし、行先階登録釦１３３の周縁部を囲う着色された縁取り部材（リングなど）により形成されてもよい。
【００２７】
操作盤２３は、戸開釦２３１と、戸閉釦２３２と、各階床（１階〜３階）の行先階登録釦２３３と、を備える。
【００２８】
戸開釦２３１は、ドア２０を戸開させる戸開信号を出力する。利用者は、ドア２０が戸開する階床（２階又は３階）にカゴが停止している間、戸開釦２３１を押すことにより、ドア２０を開けることができる。
【００２９】
戸閉釦２３２は、ドア２０を戸閉させる戸閉信号を出力する。利用者は、ドア２０が戸開する階床（２階又は３階）にカゴが停止している間、戸閉釦２３２を押すことにより、ドア２０を閉めることができる。
【００３０】
各行先階登録釦２３３は、対応する階床を行先階として登録する行先階登録信号を出力する。利用者は、行先階登録釦２３３を押すことにより、対応する階床を行先階として登録することができる。行先階登録釦２３３は、周縁部２３４を備える。
【００３１】
周縁部２３４は、行先階登録釦２３３が対応する階床の戸開方向に応じた所定の色を有する。周縁部２３４は、行先階登録釦２３３の周縁部を着色することにより形成されてもよいし、行先階登録釦２３３の周縁部を囲う着色された縁取り部材（リングなど）により形成されてもよい。
【００３２】
ここで、周縁部１３４，２３４の色について説明する。本実施形態では、カゴの戸開方向を利用者に伝えるために、正面色と、背面色と、の２つの色が予め設定される。
【００３３】
正面色（第１色）は、カゴの正面側（一方側）に設定された色である。正面色は、主として、ドア１０が開くこと、すなわち、戸開方向が正面側又は両側であること、を利用者に伝えるために利用される。
【００３４】
背面色（第２色）は、カゴの背面側（他方側）に設定された色である。背面色は、主として、ドア２０が開くこと、すなわち、戸開方向が背面側又は両側であること、を利用者に伝えるために利用される。
【００３５】
正面色及び背面色は、異なる色であればよく、それぞれ任意に選択可能である。正面色及び背面色は、赤及び青というように、識別性の高い色の組合せであるのが好ましい。
【００３６】
上述の通り、周縁部１３４，２３４は、行先階登録釦１３３，２３３が対応する階床の戸開方向に応じて、正面色又は背面色を有する。具体的には、図３に示すように、ドア１０が開く（戸開方向が正面側又は両側である）階床（１階及び２階）の行先階登録釦１３３は、正面色の周縁部１３３を備え、ドア１０が開かない（戸開方向が背面側である）階床（３階）の行先階登録釦１３３は、背面色の周縁部１３３を備える。また、ドア２０が開く（戸開方向が背面側又は両側である）階床（２階及び３階）の行先階登録釦２３３は、背面色の周縁部２３３を備え、ドア２０が開かない（戸開方向が正面側である）階床（１階）の行先階登録釦２３３は、正面色の周縁部２３３を備える。
【００３７】
以上のような構成により、本実施形態に係るカゴによれば、利用者は、操作盤１３，２３の各階床の行先階登録釦１３３，２３３の周縁部１３４，２３４の色（正面色又は背面色）を確認することにより、任意の階床の戸開方向を容易に把握することができる。
【００３８】
また、本実施形態に係るカゴは、行先階登録の切替釦を備える従来のカゴに比べて、切替釦が不要なため、部品点数を削減することができる。さらに、本実施形態に係るカゴは、行先階登録を切替えるための複雑な回路が不要なため、高階床のエレベータに容易に適用できる。
【００３９】
（第２実施形態）
第２実施形態に係るカゴについて、図４及び図５を参照して説明する。図４は、本実施形態に係るカゴの一例を示す図である。図４に示すように、本実施形態に係るカゴは、戸開案内板１４，２４を更に備える。他の構成は第１実施形態と同様である。
【００４０】
戸開案内板１４（第１の戸開案内板）は、カゴの正面側（一方側）に設けられた表示装置である。戸開案内板１４は、カゴの利用者に正面側のドア１０が開くか否かを案内するメッセージを表示する。図４の例では、戸開案内板１４は、幕板１１上に設けられているが、戸袋１２上に設けられてもよい。また、戸開案内板１４は、操作盤１３に組み込まれてもよい。
【００４１】
戸開案内板２４（第２の戸開案内板）は、カゴの背面側（他方側）に設けられた表示装置である。戸開案内板２４は、カゴの利用者に背面側のドア２０が開くか否かを案内するメッセージを表示する。図４の例では、戸開案内板２４は、幕板２１上に設けられているが、戸袋２２上に設けられてもよい。また、戸開案内板２４は、操作盤２３に組み込まれてもよい。
【００４２】
図５は、戸開案内板１４，２４の一例を示す図である。図５に示すように、正面側に設けられた戸開案内板１４は、正面色の周縁部１４１を備える。また、背面側に設けられた戸開案内板２４は、背面色の周縁部２４１を備える。
【００４３】
周縁部１４１，２４１は、戸開案内板１４，２４の周縁部を着色することにより形成されてもよいし、戸開案内板１４，２４の周縁部を囲う着色された縁取り部材により形成されてもよい。
【００４４】
また、図５の例では、戸開案内板１４，２４は、「こちらのドアが開きます」と、「後ろのドアが開きます」と、の２種類のメッセージを表示可能に形成されている。メッセージの表示方法は、任意であり、メッセージが点灯することにより表示されてもよいし、メッセージの背景が点灯することにより表示されてもよい。また、戸開案内板２４は、メッセージをデジタル表示するディスプレイであってもよい。
【００４５】
戸開案内板１４，２４は、カゴが階床に停止する際や停止中に、上記のようなメッセージを表示することにより、カゴの利用者にドア１０，２０が開くか否かを案内する。
【００４６】
具体的には、戸開案内板１４は、ドア１０が開く（戸開方向が正面側又は両側である）場合、「こちらのドアが開きます」というメッセージを表示し、ドア１０が開かない（戸開方向が背面側である）場合、「後ろのドアが開きます」というメッセージを表示する。
【００４７】
また、戸開案内板２４は、ドア２０が開く（戸開方向が背面側又は両側である）場合、「こちらのドアが開きます」というメッセージを表示し、ドア２０が開かない（戸開方向が正面側である）場合、「後ろのドアが開きます」というメッセージを表示する。
【００４８】
以上のような構成により、本実施形態に係るカゴによれば、利用者は、戸開案内板１４，２４に表示されたメッセージを確認することにより、カゴが停止する又は停止している階床の戸開方向を容易に把握することができる。また、利用者は、戸開案内板１４，２４の周縁部１４１，２４１を確認することにより、正面色及び背面色を容易に把握することができる。
【００４９】
（第３実施形態）
第３実施形態に係るカゴについて、図６及び図７を参照して説明する。本実施形態では、戸開釦１３１，２３１及び行先階登録釦１３３，２３３は、点灯装置を内蔵している。他の構成は第１実施形態と同様である。以下では、戸開釦１３１，２３１及び行先階登録釦１３３，２３３について説明する。
【００５０】
本実施形態において、行先階登録釦１３３，２３３は、対応する階床が行先階として登録されると、それぞれ所定の色に点灯する。具体的には、ドア１０が開く（戸開方向が正面側又は両側である）階床（１階及び２階）の行先階登録釦１３３は、対応する階床が行先階として登録されると正面色に点灯し、ドア１０が開かない（戸開方向が背面側である）階床（３階）の行先階登録釦１３３は、対応する階床が行先階として登録されると背面色に点灯する。また、ドア２０が開く（戸開方向が背面側又は両側である）階床（２階及び３階）の行先階登録釦２３３は、対応する階床が行先階として登録されると背面色に点灯し、ドア２０が開かない（戸開方向が正面側である）階床（１階）の行先階登録釦２３３は、対応する階床が行先階として登録されると正面色に点灯する。
【００５１】
図６は、本実施形態における操作盤１３，２３の一例を示す図である。図６の例では、行先階として２階及び３階が登録されている。このため、図６に示すように、２階の行先階登録釦１３３は、正面色に点灯し、２階の行先階登録釦２３３及び３階の行先階登録釦１３３，２３３は、背面色に点灯している。図６からわかるように、行先階登録釦１３３，２３３が点灯する色は、行先階登録釦１３３，２３３がそれぞれ備える周縁部１３４，２３４の色と同じとなる。
【００５２】
また、本実施形態において、戸開釦１３１，２３１は、ドア１０，２０が戸開する際に、それぞれ戸開方向に応じた色（正面色又は背面色）に点灯する。具体的には、ドア１０が開く（戸開方向が正面側又は両側である）場合、戸開釦１３１は正面色に点灯し、ドア１０が開かない（戸開方向が背面側である）場合、戸開釦１３１は背面色に点灯する。また、ドア２０が開く（戸開方向が背面側又は両側である）場合、戸開釦２３１は背面色に点灯し、ドア２０が開かない（戸開方向が正面側である）場合、戸開釦２３１は正面色に点灯する。
【００５３】
図７は、本実施形態における操作盤１３，２３の他の例を示す図である。図７の例では、行先階として３階が登録された状態で、カゴが２階で停止している。上述の通り、２階では両側のドア１０，２０が戸開する（戸開方向が両側である）ため、図７に示すように、戸開釦１３１は正面色に点灯し、戸開釦２３１は背面色に点灯する。なお、図７において、２階の行先階登録釦１３３，２３３は、消灯しているが、戸閉するまで点灯していてもよい。
【００５４】
以上のような構成により、本実施形態に係るカゴによれば、利用者は、行先階登録釦１３３，２３３が点灯する色を確認することで、行先階として登録された階床の戸開方向を容易に把握することができる。また、利用者は、戸開釦１３１，２３１が点灯する色を確認することで、カゴが停止する又は停止している階床の戸開方向を容易に把握することができる。
【００５５】
（第４実施形態）
第４実施形態に係るカゴについて、図８を参照して説明する。図８は、本実施形態に係るカゴの一例を示す図である。図８に示すように、本実施形態に係るカゴは、戸開案内灯１５，２５を備える。他の構成は第１実施形態と同様である。
【００５６】
戸開案内灯１５は、正面色に点灯することにより、利用者にドア１０が開く（戸開方向が正面側又は両側である）ことを案内する照明装置である。図８の例では、戸開案内灯１５は、幕板１１の表面、幕板１１の下端、及び戸袋１２の側面に設けられているが、これに限られず、幕板１１上及び戸袋１２上の任意の箇所に任意の数だけ設けることができる。
【００５７】
戸開案内灯１５は、ドア１０が戸開する際に正面色に点灯する。利用者は、戸開案内灯１５の点灯の有無を確認することにより、ドア１０が開くか否か把握することができる。
【００５８】
また、戸開案内灯１５は、ドア１０が開く（戸開方向が正面側又は両側である）階床（１階又は２階）が行先階として登録された際に正面色に点灯する。行先階を登録した利用者は、戸開案内灯１５の点灯の有無を確認することにより、登録した行先階でドア１０が開くか否か把握できる。
【００５９】
戸開案内灯２５は、背面色に点灯することにより、利用者にドア２０が開く（戸開方向が背面側又は両側である）ことを案内する照明装置である。図８の例では、戸開案内灯２５は、幕板２１の表面、幕板２１の下端、及び戸袋２２の側面に設けられているが、これに限られず、幕板２１上及び戸袋２２上の任意の箇所に任意の数だけ設けることができる。
【００６０】
戸開案内灯２５は、ドア２０が戸開する際に背面色に点灯する。利用者は、戸開案内灯２５の点灯の有無を確認することにより、ドア２０が開くか否か把握することができる。
【００６１】
また、戸開案内灯２５は、ドア２０が開く（戸開方向が背面側又は両側である）階床（２階又は３階）が行先階として登録された際に背面色に点灯する。行先階を登録した利用者は、戸開案内灯２５の点灯の有無を確認することにより、登録した行先階でドア２０が開くか否か把握できる。
【００６２】
以上のような構成により、本実施形態に係るカゴによれば、利用者は、戸開案内灯１５，２５の点灯を確認することがで、カゴが停止する又は停止している階床の戸開方向を容易に把握することができる。また、利用者は、戸開案内灯１５，２５が点灯する色を確認することにより、正面色及び背面色を容易に把握することができる。
【００６３】
（第５実施形態）
第５実施形態に係るカゴについて、図９及び図１０を参照して説明する。図９は、本実施形態に係るカゴの一例を示す図である。図９に示すように、本実施形態に係るカゴは、運行表示装置１６，２６を更に備える。他の構成は第１実施形態と同様である。
【００６４】
運行表示装置１６（第１の運行表示装置）は、カゴの正面側（一方側）に設けられたディスプレイである。運行表示装置１６は、昇降方向や現在位置などのカゴの運行状況を、正面色でデジタル表示する。図９の例では、運行表示装置１６は、戸袋１２上に設けられているが、幕板１１上に設けられてもよい。また、運行表示装置１６は、操作盤１３に組み込まれてもよい。
【００６５】
運行表示装置２６（第２の運行表示装置）は、カゴの背面側（他方側）に設けられたディスプレイである。運行表示装置２６は、昇降方向や現在位置などのカゴの運行状況を、背面色でデジタル表示する。図９の例では、運行表示装置２６は、戸袋２２上に設けられているが、幕板２１上に設けられてもよい。また、運行表示装置２６は、操作盤２３に組み込まれてもよい。
【００６６】
図１０は、運行表示装置１６，２６の一例を示す図である。図１０に示すように、運行表示装置１６は、昇降方向表示部１６１と、階床表示部１６２と、を備える。昇降方向表示部１６１は、矢印により、カゴの昇降方向を表示する。階床表示部１６２は、現在の階床を表示する。図１０の例では、運行表示部１６は、カゴが１階から上昇中であることを示している。図１０に示すように、運行表示装置１６は、このような運行状況を、正面色で表示する。
【００６７】
また、運行表示装置２６は、昇降方向表示部２６１と、階床表示部２６２と、を備える。昇降方向表示部２６１は、矢印により、カゴの昇降方向を表示する。階床表示部２６２は、現在の階床を表示する。図１０の例では、運行表示部２６は、カゴが１階から上昇中であることを示している。図１０に示すように、運行表示装置２６は、このような運行状況を、背面色で表示する。なお、運行表示装置１６，２６は、同一のカゴの運行状況を表示するため、表示内容は同一となる。
【００６８】
以上のような構成により、本実施形態に係るカゴによれば、利用者は、運行表示装置１６，２６の表示の色を確認することにより、正面色及び背面色を容易に把握することができる。
【００６９】
（第６実施形態）
第６実施形態に係るカゴについて説明する。本実施形態に係るカゴは、戸開方向を案内する音声を出力するスピーカを備える。スピーカは、カゴの側面や天井の任意の箇所に設けることができる。また、スピーカは、１つ設けられてもよいし、複数設けられてもよい。
【００７０】
スピーカは、正面色及び背面色を利用して戸開方向を案内する。例えば、正面色が赤、背面色が青の場合、スピーカは、「赤のドアが開きます」という音声により、ドア１０のみが開く（戸開方向が正面側である）ことを利用者に案内する。また、スピーカは、「青のドアが開きます」という音声により、ドア２０だけが開く（戸開方向が背面側である）ことを利用者に案内する。さらに、スピーカは、「両側のドアが開きます」という音声により、ドア１０，２０が両方開く（戸開方向が両側である）ことを利用者に案内する。
【００７１】
以上のような構成により、本実施形態に係るカゴによれば、音声によって戸開方向を案内することができるため、利用者は戸開方向をさらに容易に把握することができる。
【００７２】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【００７３】
１０，２０：ドア、１１，２１：幕板、１２，２２：戸袋、１３，２３：操作盤、１４，２４：戸開案内板、１５，２５：戸開案内灯、１６，２６：運行表示装置、１３１，２３１：戸開釦、１３２，２３２：戸閉釦、１３３，２３３：行先階登録釦、１３４，２３４：周縁部、１４１，２４１：周縁部、１６１，２６１：昇降方向表示部、１６２，２６２：階床表示部
【図１】
2016216253.tif 000003
【図２】
2016216253.tif 000004
【図３】
2016216253.tif 000005
【図４】
2016216253.tif 000006
【図５】
2016216253.tif 000007
【図６】
2016216253.tif 000008
【図７】
2016216253.tif 000009
【図８】
2016216253.tif 000010
【図９】
2016216253.tif 000011
【図１０】
2016216253.tif 000012